(57)【要約】【課題】通信アンテナを薄型化するとともに、通信アンテナと回路基板とを接続する配線が断線し難い構造の携帯端末を提供する。【解決手段】背面側キャビネット３０の背面部３０ａは、樹脂材で形成され且つ背面側から見て充電池１２に重なり合っている。背面部３０ａには、開口孔３０ｂが形成されており、開口孔３０ｂは防水シート３６で覆われている。背面部３０ａ及び防水シート３６には、通信アンテナ３５がプリント形成されている。【選択図】図３
2014036308.tif 000002
【特許請求の範囲】
【請求項１】
表示パネルが収容される正面側キャビネットと、該正面側キャビネットに組み合わされて内部に充電池が収容される背面側キャビネットとを備えた携帯端末であって、
前記背面側キャビネットの背面部は、樹脂材で形成され且つ背面側から見て前記充電池に重なり合っており、
前記背面部には、無線通信を行うための通信アンテナがプリント形成されていることを特徴とする携帯端末。
【請求項２】
請求項１において、
前記背面側キャビネットの背面部を覆う背面カバーを備え、
前記背面側キャビネットにおける前記充電池と前記背面部との間には、回路基板が配設され、
前記背面部には、前記回路基板を臨む開口孔が形成され、
前記通信アンテナは、前記背面部における前記開口孔の周縁部にプリント形成されていることを特徴とする携帯端末。
【請求項３】
請求項２において、
前記背面部には、前記開口孔を覆う防水シートが取り付けられ、
前記防水シートには、前記通信アンテナがプリント形成されていることを特徴とする携帯端末。
【請求項４】
請求項１乃至３のうち何れか１つにおいて、
前記通信アンテナは、前記背面部の両面にそれぞれプリント形成されていることを特徴とする携帯端末。
【発明の詳細な説明】
【技術分野】
【０００１】
本発明は、携帯端末に関するものである。
【背景技術】
【０００２】
従来より、近距離無線通信を行うためのＮＦＣアンテナ（Near Field Communication）のような通信アンテナを備えた携帯端末が知られている（例えば、特許文献１，２参照）。この携帯端末では、電池カバーを取り外すことで、筐体内部に収容された充電池を交換できるようになっている。
【０００３】
ここで、ＮＦＣアンテナは、その体積が大きいほど受信感度を高めるのに有利であることが知られている。つまり、ＮＦＣアンテナの表面積が同じであれば、厚みが厚いほど性能が良くなる。
【０００４】
一方、携帯端末は、携帯性を向上させるために薄型化することが望まれている。そこで、ＮＦＣアンテナを携帯端末に取り付ける際には、電池カバーの内面全体に広がるように表面積を大きくしてＮＦＣアンテナの厚みを薄くすることが行われる。
【先行技術文献】
【特許文献】
【０００５】
【特許文献１】特開２００９−１６４８８９号公報
【特許文献２】特開２０１１−２２９１３３号公報
【発明の概要】
【発明が解決しようとする課題】
【０００６】
しかしながら、従来の携帯端末のように、電池カバーに対して通信用のアンテナを取り付けた場合には、一般ユーザーが電池カバーを取り外して充電池を交換しようとすると、筐体内部の回路基板とアンテナとを接続する配線が意図せずに引っ張られて断線しやすくなるという問題があった。
【０００７】
本発明は、かかる点に鑑みてなされたものであり、その目的は、通信アンテナを薄型化するとともに、通信アンテナと回路基板とを接続する配線が断線し難い構造の携帯端末を提供することにある。
【課題を解決するための手段】
【０００８】
本発明は、表示パネルが収容される正面側キャビネットと、該正面側キャビネットに組み合わされて内部に充電池が収容される背面側キャビネットとを備えた携帯端末を対象とし、次のような解決手段を講じた。
【０００９】
すなわち、第１の発明は、前記背面側キャビネットの背面部は、樹脂材で形成され且つ背面側から見て前記充電池に重なり合っており、
前記背面部には、無線通信を行うための通信アンテナがプリント形成されていることを特徴とするものである。
【００１０】
第１の発明では、背面側キャビネットの背面部に通信アンテナをプリント形成するようにしたから、通信アンテナを薄型化できるとともに、通信アンテナと回路基板とを接続する配線が断線しにくくすることができる。
【００１１】
つまり、本発明では、充電池が背面側キャビネットの背面部で覆われた状態となり、一般ユーザーが充電池を交換できないようになっている。そして、樹脂材で形成された背面部に通信アンテナをプリント形成しているから、通信アンテナを薄型化できるとともに、通信アンテナと回路基板とを接続する配線が意図せずに引っ張られて断線してしまうことがない。
【００１２】
第２の発明は、第１の発明において、
前記背面側キャビネットの背面部を覆う背面カバーを備え、
前記背面側キャビネットにおける前記充電池と前記背面部との間には、回路基板が配設され、
前記背面部には、前記回路基板を臨む開口孔が形成され、
前記通信アンテナは、前記背面部における前記開口孔の周縁部にプリント形成されていることを特徴とするものである。
【００１３】
第２の発明では、背面側キャビネットの背面部に形成された開口孔が背面カバーで覆われているので、背面カバーを取り外すと、開口孔から回路基板にアクセスして容易にメンテナンス作業等を行うことができる。
【００１４】
第３の発明は、第２の発明において、
前記背面部には、前記開口孔を覆う防水シートが取り付けられ、
前記防水シートには、前記通信アンテナがプリント形成されていることを特徴とするものである。
【００１５】
第３の発明では、開口孔は、通信アンテナがプリント形成された防水シートで覆われる。これにより、通信アンテナを防水領域に配設することができるとともに、通信アンテナの表面積を広く確保することができる。
【００１６】
第４の発明は、第１乃至第３の発明のうち何れか１つにおいて、
前記通信アンテナは、前記背面部の両面にそれぞれプリント形成されていることを特徴とするものである。
【００１７】
第４の発明では、背面部の両面にそれぞれ通信アンテナがプリント形成されているので、通信アンテナの表面積を広く確保することができる。
【発明の効果】
【００１８】
本発明によれば、充電池が背面側キャビネットの背面部で覆われた状態となり、一般ユーザーが充電池を交換できないようになっている。そして、樹脂材で形成された背面部に通信アンテナをプリント形成しているから、通信アンテナを薄型化できるとともに、通信アンテナと回路基板とを接続する配線が意図せずに引っ張られて断線してしまうことがない。
【図面の簡単な説明】
【００１９】
【図１】本発明の実施形態に係る携帯端末の構成を示す正面図である。
【図２】携帯端末の構成を示す側面断面図である。
【図３】背面側キャビネットの構成を一部拡大して示す側面断面図である。
【図４】本変形例を示す図３相当図である。
【発明を実施するための形態】
【００２０】
以下、本発明の実施形態を図面に基づいて説明する。なお、以下の好ましい実施形態の説明は、本質的に例示に過ぎず、本発明、その適用物或いはその用途を制限することを意図するものではない。
【００２１】
図１及び図２に示すように、携帯端末１０は、正面側キャビネット２０と、正面側キャビネット２０に組み合わされた背面側キャビネット３０とを備えている。
【００２２】
正面側キャビネット２０の正面側には、表示パネル１１が収容されている。表示パネル１１は、液晶パネル１１ａと、液晶パネル１１ａを覆うタッチパネル１１ｂとを有する。
【００２３】
背面側キャビネット３０は、矩形皿状の樹脂成形品で形成され、正面側キャビネット２０と組み合わせることで、内部に収容部１５が設けられる。収容部１５内には、充電池１２と回路基板１３とが、正面側キャビネット２０側から順に並んで配設されている。回路基板１３には、実装部品１４が実装されている。
【００２４】
背面側キャビネット３０の背面部３０ａは、背面側から見て充電池１２及び背面側の回路基板１３に重なり合っている。つまり、充電池１２が背面部３０ａで覆われた状態となり、一般ユーザーが充電池１２を交換できないようになっている。背面部３０ａには、回路基板１３を臨む開口孔３０ｂが形成されている。
【００２５】
図３に示すように、背面側キャビネット３０の背面部３０ａにおける開口孔３０ｂの周縁部には、通信アンテナ３５がプリント形成されている。通信アンテナ３５は、例えば、近距離無線通信を行うためのＮＦＣアンテナ（Near Field Communication）であり、背面部３０ａの両面にそれぞれプリント形成されている。通信アンテナ３５は、図示しない配線によって回路基板１３に接続されている。
【００２６】
背面部３０ａには、開口孔３０ｂを覆う防水シート３６が取り付けられている。具体的に、背面部３０ａの背面には、通信アンテナ３５の外周縁に沿って接着テープ３７が接着されており、この接着テープ３７によって防水シート３６が貼り付けられている。防水シート３６の内面側には、通信アンテナ３５がプリント形成されている。通信アンテナ３５は、図示しない配線によって回路基板１３に接続されている。
【００２７】
なお、図４に示すように、開口孔３０ｂの内周縁に沿って接着テープ３７が接着され、この接着テープ３７によって防水シート３６が貼り付けられた構成としてもよい。この場合には、背面部３０ａにおける防水シート３６の外周縁に沿って通信アンテナ３５をプリント形成すればよい。
【００２８】
背面側キャビネット３０の背面部３０ａ全体は、背面カバー４０で覆われている。これにより、防水シート３６が背面カバー４０で覆われる。
【００２９】
以上のように、本実施形態に係る携帯端末１０によれば、充電池１２及び回路基板１３が背面側キャビネット３０の背面部３０ａで覆われた状態となり、一般ユーザーが充電池１２を交換できないようになっている。そして、樹脂材で形成された背面部３０ａや防水シート３６に通信アンテナ３５をプリント形成しているから、通信アンテナ３５を薄型化できるとともに、通信アンテナ３５と回路基板１３とを接続する配線が意図せずに引っ張られて断線してしまうことがない。
【００３０】
さらに、背面側キャビネット３０の背面部３０ａ及び防水シート３６に通信アンテナ３５をプリント形成することで、通信アンテナ３５の表面積を広く確保することができる。
【００３１】
また、背面側キャビネット３０の背面部３０ａに、回路基板１３を臨む開口孔３０ｂを形成しているから、背面カバー４０を取り外すとともに防水シート３６を剥がせば、開口孔３０ｂから回路基板１３にアクセスして容易にメンテナンス作業等を行うことができる。
【００３２】
《その他の実施形態》
前記実施形態については、以下のような構成としてもよい。
【００３３】
本実施形態では、背面側キャビネット３０の背面部３０ａの両面に通信アンテナ３５をそれぞれプリント形成するようにしたが、何れか一方の面にのみ形成してもよい。
【００３４】
また、本実施形態では、背面部３０ａ及び防水シート３６に通信アンテナ３５をそれぞれプリント形成するようにしたが、何れか一方にのみ形成してもよい。
【産業上の利用可能性】
【００３５】
以上説明したように、本発明は、通信アンテナを有する携帯端末について有用である。
【符号の説明】
【００３６】
１０    携帯端末
１１    表示パネル
１２    充電池
１３    回路基板
２０    正面側キャビネット
３０    背面側キャビネット
３０ａ  背面部
３０ｂ  開口孔
３５    通信アンテナ
３６    防水シート
４０    背面カバー
【図１】
2014036308.tif 000003
【図２】
2014036308.tif 000004
【図３】
2014036308.tif 000005
【図４】
2014036308.tif 000006